(57)【要約】  ＬＢＴパラメータのパラメータ値を指示するための方法、基地局、およびユーザ端末が提供され、前記方法は、ＬＢＴタイプ、ＬＢＴ優先度、および物理上りリンク共有チャネル（ＰＵＳＣＨ）開始位置を含むＬＢＴパラメータのパラメータ値を特定することと、各ＬＢＴパラメータの可能パラメータ値の組み合わせによって形成されるセット中のサブセットに基づいて、前記ＬＢＴパラメータをジョイント指示するためのインデックスを特定することと、前記インデックスを含む下りリンク制御情報を生成することと、前記下りリンク制御情報をユーザ端末に送信することと、を含む。
2019525636.tif 000002
【特許請求の範囲】
【請求項１】
基地局においてリッスンビフォアトーク（ＬＢＴ）パラメータのパラメータ値を指示する方法であって、
ＬＢＴタイプと、ＬＢＴ優先度と、物理上りリンク共有チャネル（ＰＵＳＣＨ）開始位置とを含むＬＢＴパラメータのパラメータ値を特定することと、
各ＬＢＴパラメータの可能パラメータ値の組み合わせによって形成されるセットのサブセットに基づいて、前記ＬＢＴパラメータをジョイント指示するためのインデックスを特定することと、
前記インデックスを含む下りリンク制御情報を生成することと、
前記下りリンク制御情報をユーザ端末に送信することと、を含む方法。
【請求項２】
前記サブセットは、前記ＬＢＴタイプと、前記ＬＢＴ優先度と、前記ＰＵＳＣＨ開始位置との可能パラメータ値間で衝突する組み合わせを、前記セットから除外することによって形成される、請求項１に記載の方法。
【請求項３】
前記ＬＢＴタイプの可能パラメータ値は、第２のタイプのＬＢＴと第４のタイプのＬＢＴを含み、
前記サブセットは、前記ＬＢＴタイプが第２のタイプのＬＢＴである場合について前記ＬＢＴ優先度を考慮しないことによって、形成される、請求項２に記載の方法。
【請求項４】
前記ＬＢＴタイプの可能パラメータ値は、第２のタイプのＬＢＴと第４のタイプのＬＢＴを含み、
前記ＰＵＳＣＨ開始位置の可能パラメータ値は、第０シンボルと、第１シンボルと、第０シンボルから所定値を経過したタイミングと、第０シンボルから前記所定値とタイミングアドバンス値を経過したタイミングと、を含み、
前記サブセットは、前記ＬＢＴタイプが第４のタイプのＬＢＴであり、前記ＰＵＳＣＨ開始位置が第０シンボルから前記所定値を経過したタイミングであることを含む組み合わせと、前記ＬＢＴタイプが第４のタイプのＬＢＴであり、前記ＰＵＳＣＨ開始位置が第０シンボルから前記所定値とタイミングアドバンス値を経過したタイミングであることを含む組み合わせと、を前記セットから除外することによって、形成される、請求項２に記載の方法。
【請求項５】
前記ＬＢＴパラメータはコンテンションウィンドウサイズＣＷＳをさらに含み、
前記ＬＢＴタイプの可能パラメータ値は第２のタイプのＬＢＴおよび第４のタイプのＬＢＴを含み、
前記サブセットは、前記ＬＢＴタイプが第２のタイプのＬＢＴである場合についてＬＢＴの優先度と前記ＣＷＳを考慮しないことによって、形成される、請求項２に記載の方法。
【請求項６】
前記サブセットは、前記ＬＢＴタイプと、前記ＬＢＴ優先度と、前記ＰＵＳＣＨ開始位置との可能パラメータ値の間の組み合わせの使用確率に基づいて、形成される、請求項１に記載の方法。
【請求項７】
前記ＬＢＴパラメータは、マルチサブフレームスケジューリングギャップをさらに含み、
前記マルチサブフレームスケジューリングギャップは、ギャップごとのＬＢＴタイプを含み、
前記サブセットは、前記ＬＢＴタイプと、前記ＬＢＴ優先度と、前記ＰＵＳＣＨ開始位置と、ギャップごとのＬＢＴタイプとの可能パラメータ値の間の組み合わせの使用確率に基づいて、形成される、請求項６に記載の方法。
【請求項８】
ギャップごとのＬＢＴタイプの可能パラメータ値は、第２のタイプのＬＢＴと第４のタイプのＬＢＴを含み、
前記サブセットは、ギャップごとに第２のタイプのＬＢＴを使用することによって形成される、請求項７に記載の方法。
【請求項９】
前記マルチサブフレームスケジューリングギャップは、複数のサブフレームのうち第１のサブフレーム以外の残りのサブフレームのＰＵＳＣＨ開始位置をさらに含み、
前記残りのサブフレームのＰＵＳＣＨ開始位置の可能パラメータ値は、第０シンボルと、第１シンボルと、第０シンボルから前記所定値を経過したタイミングと、第０シンボルから所定値とタイミングアドバンス値を経過したタイミングとを含み、
前記サブセットは、前記残りのサブフレームに対して第０シンボルから所定値を経過したタイミングを使用することによって、形成される、請求項８に記載の方法。
【請求項１０】
前記ＬＢＴタイプの可能パラメータ値は、第２のタイプのＬＢＴと第４のタイプのＬＢＴとを含み、
前記サブセットは、前記ＬＢＴタイプが第４のタイプのＬＢＴの場合について複数のサブフレームの隣接サブフレームの間に対してギャップを使用しないことによって、形成される、請求項９に記載の方法。
【請求項１１】
前記ＬＢＴ優先度の可能パラメータ値は、１、２、３、４を含み、
前記サブセットは、ＬＢＴ優先度が３であることを含む組み合わせを前記セットから除外することによって、形成される、請求項６に記載の方法。
【請求項１２】
前記ＬＢＴタイプの可能パラメータ値は、第２のタイプのＬＢＴと第４のタイプのＬＢＴを含み、
前記ＰＵＳＣＨ開始位置の可能パラメータ値は、第０シンボルと、第１シンボルと、第０シンボルから所定値を経過したタイミングと、第０シンボルから前記所定値とタイミングアドバンス値を経過したタイミングと、を含み、
前記サブセットは、前記ＬＢＴタイプが第２のタイプのＬＢＴであり、前記ＰＵＳＣＨ開始位置が第１シンボルであることを含む組み合わせを前記セットから除外することによって、形成される、請求項６に記載の方法。
【請求項１３】
リッスンビフォアトーク（ＬＢＴ）パラメータのパラメータ値を指示する基地局であって、
ＬＢＴタイプと、ＬＢＴ優先度と、物理上りリンク共有チャネル（ＰＵＳＣＨ）開始位置とを含むＬＢＴパラメータのパラメータ値を特定するように構成されるパラメータ値特定部と、
各ＬＢＴパラメータの可能パラメータ値の組み合わせによって形成されるセットのサブセットに基づいて、前記ＬＢＴパラメータに対してジョイント指示するためのインデックスを特定するように構成されるインデックス特定部と、
前記インデックスを含む下りリンク制御情報を生成するように構成される生成部と、
前記下りリンク制御情報をユーザ端末に送信するように配置される送信部と、を有する基地局。
【請求項１４】
前記サブセットは、前記ＬＢＴタイプと、前記ＬＢＴ優先度と、前記ＰＵＳＣＨ開始位置との可能パラメータ値間で衝突する組み合わせを前記セットから除外することによって、形成される、請求項１３に記載の基地局。
【請求項１５】
前記サブセットは、前記ＬＢＴタイプと、前記ＬＢＴ優先度と、前記ＰＵＳＣＨ開始位置との可能パラメータ値の間の組み合わせの使用確率に基づいて、形成される、請求項１３に記載の基地局。
【請求項１６】
前記ＬＢＴパラメータは、マルチサブフレームスケジューリングギャップをさらに含み、
前記マルチサブフレームスケジューリングギャップは、ギャップごとのＬＢＴタイプを含み、
前記サブセットは、前記ＬＢＴタイプと、前記ＬＢＴ優先度と、前記ＰＵＳＣＨ開始位置と、ギャップごとのＬＢＴタイプとの可能パラメータ値の間の組み合わせの使用確率に基づいて、形成される、請求項１５に記載の基地局。
【請求項１７】
ユーザ端末においてリッスンビフォアトーク（ＬＢＴ）パラメータのパラメータ値を特定する方法であって、
ＬＢＴタイプと、ＬＢＴ優先度と、物理上りリンク共有チャネル（ＰＵＳＣＨ）開始位置とを含むＬＢＴパラメータをジョイント指示するためのインデックスを含む下りリンク制御情報を受信することと、
各ＬＢＴパラメータの可能パラメータ値の組み合わせによって形成されるセットのサブセットに基づいて、前記インデックスに応じて前記ＬＢＴパラメータを特定することと、を有する方法。
【請求項１８】
リッスンビフォアトーク（ＬＢＴ）パラメータのパラメータ値を特定するユーザ端末であって、
ＬＢＴタイプと、ＬＢＴ優先度と、物理上りリンク共有チャネル（ＰＵＳＣＨ）開始位置とを含むＬＢＴパラメータをジョイント指示するためのインデックスを含む下りリンク制御情報を受信するように構成される受信部と、
各ＬＢＴパラメータの可能パラメータ値の組み合わせによって形成されるセットのサブセットに基づいて、前記インデックスに応じて前記ＬＢＴパラメータを特定するよう構成される特定部と、を有するユーザ端末。
【発明の詳細な説明】
【技術分野】
【０００１】
本開示は、移動通信の分野に関し、より詳細には、基地局においてＬＢＴパラメータのパラメータ値を指示する方法、ユーザ端末においてＬＢＴパラメータのパラメータ値を指示する方法、および基地局とユーザ端末に関する。
【背景技術】
【０００２】
近年、研究されているアンライセンス帯域伝送技術において、リッスンビフォアトーク（ＬＢＴ：Ｌｉｓｔｅｎ−Ｂｅｆｏｒｅ−Ｔａｌｋ）は重要なチャネルアクセスメカニズムである。ＬＢＴプロセスでは、基地局は、ＬＢＴパラメータのパラメータ値を下りリンク制御情報に含めて、ユーザ端末に送信する。前記ユーザ端末は、前記下りリンク制御情報を受信して検出することにより、前記下りリンク制御情報に含まれているＬＢＴパラメータのパラメータ値に応じ、ＬＢＴ手順を行う。
【０００３】
前記下りリンク制御情報に含まれるＬＢＴパラメータは、例えば、ＬＢＴタイプ、物理上りリンク共有チャネル（ＰＵＳＣＨ）開始位置、ＬＢＴ優先度、コンテンションウィンドウサイズ（ＣＷＳ：Ｃｏｎｔｅｎｔｉｏｎ  Ｗｉｎｄｏｗ  Ｓｉｚｅ）、マルチサブフレームスケジューリングの場合のマルチサブフレームスケジューリングギャップなどの多種のパラメータを含む。
【発明の概要】
【発明が解決しようとする課題】
【０００４】
前記多種のパラメータに対して、それぞれに独立のビットを使用して指示すれば、相当なシグナリングオーバヘッドが必要となる。したがって、シグナリングオーバヘッドを低減可能な指示、ＬＢＴパラメータを特定する方法、基地局、およびユーザ端末が必要となる。
【課題を解決するための手段】
【０００５】
本開示の一実施例により、基地局においてＬＢＴパラメータのパラメータ値を指示するための方法が提供され、ＬＢＴタイプ、ＬＢＴ優先度、および物理上りリンク共有チャネル（ＰＵＳＣＨ）開始位置を含むＬＢＴパラメータのパラメータ値を特定することと、各ＬＢＴパラメータの可能パラメータ値の組み合わせによって形成されるセット中のサブセットに基づいて、前記ＬＢＴパラメータをジョイント指示するためのインデックスを特定することと、前記インデックスを含む下りリンク制御情報を生成することと、前記下りリンク制御情報をユーザ端末に送信することと、を含む。
【０００６】
この実施例の方法で、前記サブセットは、前記ＬＢＴタイプと、前記ＬＢＴ優先度と、前記ＰＵＳＣＨ開始位置との可能パラメータ値間で衝突する組み合わせを、前記セットから除外することによって形成される。
【０００７】
この実施例の方法で、前記ＬＢＴタイプの可能パラメータ値は、第２のタイプのＬＢＴと第４のタイプのＬＢＴを含み、前記サブセットは、前記ＬＢＴタイプが第２のタイプのＬＢＴである場合について前記ＬＢＴ優先度を考慮しないことによって、形成される。
【０００８】
この実施例の方法で、前記ＬＢＴタイプの可能パラメータ値は、第２のタイプのＬＢＴと第４のタイプのＬＢＴを含み、前記ＰＵＳＣＨ開始位置の可能パラメータ値は、第０シンボルと、第１シンボルと、第０シンボルから所定値を経過したタイミングと、および第０シンボルから前記所定値とタイミングアドバンス値を経過したタイミングと、を含み、前記サブセットは、前記ＬＢＴタイプが第４のタイプのＬＢＴであり、前記ＰＵＳＣＨ開始位置が第０シンボルから前記所定値を経過したタイミングであることを含む組み合わせと、前記ＬＢＴタイプが第４のタイプのＬＢＴであり、前記ＰＵＳＣＨ開始位置が第０シンボルから前記所定値とタイミングアドバンス値を経過したタイミングであることを含む組み合わせと、を前記セットから除外することにより、形成される。
【０００９】
この実施例の方法で、前記ＬＢＴパラメータはコンテンションウィンドウサイズＣＷＳをさらに含み、前記ＬＢＴタイプの可能パラメータ値は第２のタイプのＬＢＴおよび第４のタイプのＬＢＴを含み、前記サブセットは、前記ＬＢＴタイプが第２のタイプのＬＢＴである場合について前記ＬＢＴ優先度と前記ＣＷＳを考慮しないことによって、形成される。
【００１０】
この実施例の方法で、前記サブセットは、前記ＬＢＴタイプと、前記ＬＢＴ優先度と、前記ＰＵＳＣＨ開始位置との可能パラメータ値間の組み合わせの使用確率に基づいて、形成される。
【００１１】
この実施例の方法で、前記ＬＢＴパラメータは、マルチサブフレームスケジューリングギャップをさらに含み、前記マルチサブフレームスケジューリングギャップはギャップごとのＬＢＴタイプを含み、前記サブセットは、前記ＬＢＴタイプと、前記ＬＢＴ優先度と、前記ＰＵＳＣＨ開始位置と、ギャップごとのＬＢＴタイプとの可能パラメータ値間の組み合わせの使用確率に基づいて、形成される。
【００１２】
この実施例の方法で、ギャップごとのＬＢＴタイプの可能パラメータ値は、第２のタイプのＬＢＴと第４のタイプのＬＢＴを含み、前記サブセットは、ギャップごとに第２のタイプのＬＢＴを使用することによって形成される。
【００１３】
この実施例の方法で、前記マルチサブフレームスケジューリングギャップは、複数のサブフレームのうち第１のサブフレーム以外の残りのサブフレームのＰＵＳＣＨ開始位置をさらに含み、前記残りのサブフレームのＰＵＳＣＨ開始位置の可能パラメータ値は、第０シンボルと、第１シンボルと、第０シンボルから前記所定値を経過したタイミングと、および第０シンボルから所定値とタイミングアドバンス値を経過したタイミングを含み、前記サブセットは、前記残りのサブフレームに対して、第０シンボルから所定値を経過したタイミングを使用することによって、形成される。
【００１４】
この実施例の方法で、前記ＬＢＴタイプの可能パラメータ値は、第２のタイプのＬＢＴと第４のタイプのＬＢＴとを含み、前記サブセットは、前記ＬＢＴタイプが第４のタイプのＬＢＴの場合について複数のサブフレームの隣接サブフレームの間に対してギャップを使用しないことによって、形成される。
【００１５】
この実施例の方法で、前記ＬＢＴ優先度の可能パラメータ値は、１、２、３、４を含み、前記サブセットは、ＬＢＴ優先度が３であることを含む組み合わせを前記セットから除外することによって、形成される。
【００１６】
この実施例の方法で、前記ＬＢＴタイプの可能パラメータ値は、第２のタイプのＬＢＴと第４のタイプのＬＢＴを含み、前記ＰＵＳＣＨ開始位置の可能パラメータ値は、第０シンボルと、第１シンボルと、第０シンボルから所定値を経過したタイミングと、および第０シンボルから前記所定値とタイミングアドバンス値を経過したタイミングと、を含み、前記サブセットは、前記ＬＢＴタイプが第２のタイプのＬＢＴであり、前記ＰＵＳＣＨ開始位置が第１シンボルであることを含む組み合わせを前記セットから除外することによって、形成される。
【００１７】
本開示の他の実施例により、リッスンビフォアトーク（ＬＢＴ）パラメータのパラメータ値を指示する基地局が提供され、前記基地局は、ＬＢＴタイプ、ＬＢＴ優先度、および物理上りリンク共有チャネル（ＰＵＳＣＨ）開始位置を含むＬＢＴパラメータのパラメータ値を特定するように配置されるパラメータ値特定部と、各ＬＢＴパラメータの可能パラメータ値の組み合わせによって形成されるセットのサブセットに基づいて、前記ＬＢＴパラメータをジョイント指示するインデックスを特定するように配置されるインデックス特定部と、前記インデックスを含む下りリンク制御情報を生成するように配置される生成部と、前記下りリンク制御情報をユーザ端末に送信するように配置される送信部と、を有する。
【００１８】
この実施例の基地局では、前記サブセットは、前記ＬＢＴタイプと、前記ＬＢＴ優先度と、前記ＰＵＳＣＨ開始位置との可能パラメータ値間で衝突する組み合わせを前記セットから除外することによって、形成される。
【００１９】
この実施例の基地局では、前記サブセットは、前記ＬＢＴタイプと、前記ＬＢＴ優先度と、前記ＰＵＳＣＨ開始位置との可能パラメータ値間の組み合わせの使用確率に基づいて、形成される。
【００２０】
この実施例の基地局では、前記ＬＢＴパラメータは、マルチサブフレームスケジューリングギャップをさらに含み、前記マルチサブフレームスケジューリングギャップは、ギャップごとのＬＢＴタイプを含み、前記サブセットは、前記ＬＢＴタイプと、前記ＬＢＴ優先度と、前記ＰＵＳＣＨ開始位置と、ギャップごとのＬＢＴタイプとの可能パラメータ値間の組み合わせの使用確率に基づいて、形成される。
【００２１】
本開示の他の実施例により、ユーザ端末においてリッスンビフォアトーク（ＬＢＴ）パラメータのパラメータ値を特定する方法が提供され、前記方法は、ＬＢＴタイプ、ＬＢＴ優先度、および物理上りリンク共有チャネル（ＰＵＳＣＨ）開始位置を含むＬＢＴパラメータをジョイント指示するインデックスを含む下りリンク制御情報を受信することと、各ＬＢＴパラメータの可能パラメータ値の組み合わせによって形成されるセットのサブセットに基づいて、前記インデックスに応じて前記ＬＢＴパラメータを特定することと、を有する。
【００２２】
本開示の他の実施例により、リッスンビフォアトーク（ＬＢＴ）パラメータのパラメータ値を特定するユーザ端末が提供され、前記ユーザ端末は、ＬＢＴタイプ、ＬＢＴ優先度、および物理上りリンク共有チャネル（ＰＵＳＣＨ）開始位置を含むＬＢＴパラメータをジョイント指示するインデックスを含む下りリンク制御情報を受信するように配置される受信部と、各ＬＢＴパラメータの可能パラメータ値の組み合わせによって形成されるセットのサブセットに基づいて、前記インデックスに応じて前記ＬＢＴパラメータを特定するように配置される特定部と、を有する。
【発明の効果】
【００２３】
本開示の実施例によるリッスンビフォアトーク（ＬＢＴ）パラメータのパラメータ値を指示・特定する方法、基地局、およびユーザ端末において、ＬＢＴパラメータの指示のためのシグナリングオーバヘッドを有効に低減することができる。
【図面の簡単な説明】
【００２４】
本開示の実施例を図面の結合によりさらに詳細に説明することにより、本開示の上記および他の目的、特徴、および利点がさらに明らかになる。図面は、本開示の実施例に対する更なる理解を提供し、明細書の一部を構成し、本開示の実施例とともに本開示を説明するためのものであり、本開示に対して限定的なものではない。図面において、同一参照符号は、通常、同一手段或いはステップを代表する。
【図１】本開示の実施例によるＬＢＴパラメータのパラメータ値を指示・特定する方法を適用するシステムの模式図である。
【図２】本開示の実施例によるＬＢＴパラメータのパラメータ値を指示する方法の主要ステップを示すフローチャートである。
【図３】本開示の実施例によるＬＢＴパラメータのパラメータ値を指示する方法の無損失方式の第１の実施例を示す模式図である。
【図４】本開示の実施例によるＬＢＴパラメータのパラメータ値を指示する方法の無損失方式の第２の実施例を示す模式図である。
【図５】本開示の実施例によるＬＢＴパラメータのパラメータ値を指示する方法の損失方式の第１の実施例を示す模式図である。
【図６】本開示の実施例によるＬＢＴパラメータのパラメータ値を指示する方法の損失方式の第２の実施例を示す模式図である。
【図７】本開示の実施例によるＬＢＴパラメータのパラメータ値を指示する方法の損失方式の第３の実施例を示す模式図である。
【図８】本開示の実施例によるＬＢＴパラメータのパラメータ値を指示する方法の損失方式の第４の実施例を示す模式図である。
【図９】本開示の実施例によるＬＢＴパラメータのパラメータ値を指示する方法によって形成されたサブセットを適用する第１の例を示す模式図である。
【図１０】本開示の実施例によるＬＢＴパラメータのパラメータ値を指示する方法によって形成されたサブセットを適用する第２の例を示す模式図である。
【図１１】本開示の実施例によるＬＢＴパラメータのパラメータ値を指示する方法によって形成されたサブセットを適用する第３の例を示す模式図である。
【図１２】本開示の実施例によるＬＢＴパラメータのパラメータ値を指示する方法によって形成されたサブセットを適用する第４の例を示す模式図である。
【図１３】本開示の実施例によるＬＢＴパラメータのパラメータ値を指示する方法によって形成されたサブセットを適用する第５の例を示す模式図である。
【図１４】本開示の実施例によるＬＢＴパラメータのパラメータ値を指示する方法によって形成されたサブセットを適用する第６の例を示す模式図である。
【図１５】本開示の実施例によるＬＢＴパラメータのパラメータ値を指示する方法によって形成されたサブセットを適用する第７の例を示す模式図である。
【図１６】本開示の実施例によるＬＢＴパラメータのパラメータ値を指示する方法によって形成されたサブセットを適用する第８の例を示す模式図である。
【図１７】本開示の実施例によるＬＢＴパラメータのパラメータ値を指示する方法によって形成されたサブセットを適用する第９の例を示す模式図である。
【図１８】本開示の実施例によるＬＢＴパラメータのパラメータ値を指示する方法によって形成されたサブセットを適用する第１の例乃至第９の例のまとめと比較を示す模式図である。
【図１９】本開示の実施例による基地局の主要構成を概略的に示すブロック図である。
【図２０】本開示の実施例によるＬＢＴパラメータのパラメータ値を特定する方法の主要ステップを示すフローチャートである。
【図２１】本開示の実施例によるユーザ端末の主要構成を概略的に示すブロック図である。
【発明を実施するための形態】
【００２５】
本開示の目的、技術案および利点をより明確にするために、以下は図面を参照して本開示の例示的な実施例を詳細に説明する。明らかに、説明した実施例は単に本開示の実施例の一部に過ぎず、本開示の実施例の全てではなく、本開示はここに説明されている例示的な実施例に限定されるものではないことを理解すべきである。本開示で説明した本開示の実施例に基づいて、当業者が創造的な労力を払うことなく得られる全ての他の実施例は本開示の範囲内である。
【００２６】
図１は、本開示の実施例によるＬＢＴパラメータのパラメータ値を指示・特定する方法を適用するシステムの模式図である。図１に示すように、このシステムは、基地局１０とユーザ端末２０を含み、アンライセンス帯域伝送の場合に適用可能である。図１に示すシステムでは、基地局１０は下りリンク制御情報をユーザ端末２０に送信する。ユーザ端末２０は当該下りリンク制御情報を受信して検出することにより、下りリンク制御情報におけるＬＢＴパラメータに関する情報に応じてＬＢＴ手順を行う。
【００２７】
上述したように、ＬＢＴパラメータは、例えば、ＬＢＴタイプ、ＰＵＳＣＨ開始位置、ＬＢＴ優先度、コンテンションウィンドウサイズ（ＣＷＳ）、マルチサブフレームスケジュール場合のマルチサブフレームスケジュールギャップ等の多種のパラメータを含む。前記多種のパラメータに対して、それぞれに独立のビットを使用して表示すると、相当なシグナリングオーバヘッドが必要となる。
【００２８】
これにより、発明者は、本開示の実施例によるＬＢＴパラメータのパラメータ値を特定・指示する方法、基地局およびユーザ端末を設計した。
【００２９】
以下、まず、図２を参照して、本開示の実施例による基地局においてリッスンビフォアトークＬＢＴパラメータのパラメータ値を指示するための方法について詳細に説明する。
【００３０】
図２に示すように、まず、ステップＳ２１０において、ＬＢＴパラメータのパラメータ値を特定する。本開示の実施例の方法では、前記ＬＢＴパラメータは、ＬＢＴタイプ、ＬＢＴ優先度、およびＰＵＳＣＨ開始位置を少なくとも含む。
【００３１】
具体的には、前記ＬＢＴタイプの可能パラメータ値は、第２のタイプのＬＢＴと第４のタイプのＬＢＴを含む。前記第２のタイプのＬＢＴとは、例えば、２５μｓのモニタリングに基づくＬＢＴのタイプを指す。前記第４のタイプのＬＢＴとは、例えば、サイズ可変コンテンションウィンドウのランダムバックオフに基づくＬＢＴタイプを指す。これにより、ＬＢＴタイプのパラメータ値を単独に指示する場合、少なくとも１つの単独なビットが必要となる。
【００３２】
前記ＬＢＴ優先度は、トランスポートサービスの多重に適用可能である。ＬＢＴ優先度の可能パラメータ値は、１、２、３、および４を含む。これにより、ＬＢＴ優先度のパラメータ値を単独に指示する場合、少なくとも二つの単独なビットが必要となる。
【００３３】
前記ＰＵＳＣＨ開始位置は、ＬＢＴが成功した後にＵＥがＰＵＳＣＨ伝送を開始する時のタイミングを指示するのに使用される。より具体的には、前記ＰＵＳＣＨ開始位置は、開始ＰＵＳＣＨ  ＤＦＴ−Ｓ−ＯＦＤＭシンボルを指示し得る。前記ＰＵＳＣＨ開始位置の可能パラメータ値は、第０シンボルと、第０シンボルから所定値を経過したタイミングと、第０シンボルから所定値とタイミングアドバンス（Ｔｉｍｉｎｇ  Ａｄｖａｎｃｅ、ＴＡ）値を経過したタイミングと、第１シンボルと、を含む。前記所定値は、例えば、２５μｓなどである。これにより、ＰＵＳＣＨ開始位置のパラメータ値を単独に指示する場合、少なくとも二つの単独なビットが必要となる。
【００３４】
次に、ステップＳ２２０において、各ＬＢＴパラメータの可能パラメータ値の組み合わせによって形成されるセットのサブセットに基づいて、前記ＬＢＴパラメータをジョイント指示するためのインデックスが特定される。その後、ステップＳ２３０において、前記インデックスを含む下りリンク制御情報が生成される。そして、ステップＳ２４０において、前記下りリンク制御情報がユーザ端末に送信される。
【００３５】
つまり、本開示の実施例による方法では、上述のようなＬＢＴパラメータがそれぞれに指示されることではなく、各ＬＢＴパラメータの可能パラメータ値の組み合わせによって形成されるセットから所定のサブセットを予め選択しておき、各ＬＢＴパラメータのパラメータ値に応じて前記サブセットから対応するインデックスを得て、前記インデックスを指示する。
【００３６】
具体的には、第１の実施形態では、前記サブセットは、前記ＬＢＴタイプと、前記ＬＢＴ優先度と、前記ＰＵＳＣＨ開始位置との可能パラメータ値間の衝突する組み合わせを前記セットから除外することによって、形成される。ここで、「衝突する組み合わせ」という表現は、この組み合わせにおける各ＬＢＴパラメータのパラメータ値の適用シーンが相互に矛盾することを意味する。言い換えれば、当該組み合わせは合理ではない。したがって、前記衝突する組み合わせを前記セットから除外することによって形成されたサブセットは、ＬＢＴパラメータ指示の実際性能に影響を及ぼさないものである。したがって、この方式は無損失方式とも呼ばれる。
【００３７】
第２の実施形態では、前記サブセットは、各ＬＢＴパラメータの可能パラメータ値の間の組み合わせの使用確率に基づいて、形成される。ここで、「使用確率」という表現は、実際適用シーンにおけるその組み合わせの存在可能性を意味する。実際適用シーンにおいてよくある組み合わせの使用確率が高く、実際適用シーンにおいてあまりない組み合わせの使用確率が低い。したがって、あまりない組み合わせを前記セットから除外することによって形成されたサブセットは、よくあるＬＢＴパラメータ指示の要求を満たすことができるが、あまりないＬＢＴパラメータ指示の場合の要求を満たすことができない。つまり、前記サブセットは、ＬＢＴパラメータ指示の柔軟性にわずかな影響を与える。これはシグナリングオーバヘッドの低減と指示柔軟性の低下との間の妥協です。したがって、この方式は損失方式とも呼ばれる。
【００３８】
以下、無損失方式と損失方式での処理についてそれぞれ説明する。
【００３９】
まず、無損失方式での処理について説明する。すなわち、前記サブセットは、前記ＬＢＴタイプと、前記ＬＢＴ優先度と、前記ＰＵＳＣＨ開始位置との可能パラメータ値間に衝突する組み合わせを前記セットから除外することによって、形成される。
【００４０】
第１の実施例では、ＬＢＴ優先度とＬＢＴタイプとの関係を考慮する。具体的には、ＬＢＴ優先度は、第４のタイプのＬＢＴである場合のみ必要となるため、第２のタイプのＬＢＴとＬＢＴ優先度のいずれかの値とを含む組み合わせは必要となるものではない。これにより、前記サブセットは、前記ＬＢＴタイプが第２のタイプのＬＢＴである場合について前記ＬＢＴ優先度を考慮しないことによって、形成される。
【００４１】
第２の実施例では、ＬＢＴタイプとＰＵＳＣＨ開始位置との関係を考慮する。具体的には、すべてのＰＵＳＣＨ開始位置が各ＬＢＴタイプに適用可能なわけではない。具体的には、第０シンボルから前記所定値を経過したタイミングと、および第０シンボルから前記所定値とタイミングアドバンス値を経過したタイミングとは、第４のタイプのＬＢＴに適用されるものではない。したがって、第４のタイプのＬＢＴと、第０シンボルから前記所定値を経過したタイミングとの組み合わせ、あるいは、第４のタイプのＬＢＴと、第０シンボルから前記所定値とタイミングアドバンス値を経過したタイミングとの組み合わせ、は必要ではない。これにより、前記サブセットは、前記ＬＢＴタイプが第４のタイプのＬＢＴであり、前記ＰＵＳＣＨ開始位置が第０シンボルから前記所定値を経過したタイミングであることを含む組み合わせと、前記ＬＢＴのタイプが第４のタイプのＬＢＴであり、前記ＰＵＳＣＨ開始位置が第０シンボルから前記所定値とタイミングアドバンス値を経過したタイミングであることの組み合わせとを、前記セットから除外することによって、形成される。
【００４２】
第３の実施例では、前記ＬＢＴパラメータは、上述のようなＣＷＳをさらに含む。前記ＣＷＳは、ＵＥがランダムバックオフカウンタを生成するウィンドウサイズを示すために使用され、その可能パラメータ値は｛３、７、１５、３１、６３、１２７、２５５、５１１、１０２３｝を含む。すなわち、ＣＷＳを単独に指示する場合、少なくとも４つの単独なビットが必要となる。この実施例では、ＣＷＳとＬＢＴタイプとの関係が考慮される。具体的には、ＣＷＳは第４のタイプのＬＢＴのみに適用される。したがって、第２のタイプのＬＢＴとＣＷＳを含む組み合わせが必要ではない。前記サブセットは、前記ＬＢＴタイプが第２のタイプのＬＢＴである場合について前記ＣＷＳを考慮しないことによって、形成される。さらに、現在の協定では、ＣＷＳのパラメータ値とＬＢＴ優先度のパラメータ値とが対応付けられているため、これにより、前記サブセットは、前記ＬＢＴタイプが第２のタイプのＬＢＴである場合について前記ＬＢＴ優先度と前記ＣＷＳを考慮しないことによって、形成される。
【００４３】
上述したサブセットは、例えば、テーブルなどの様々な形式で前記ユーザ端末と前記基地局に予め記憶されておいてもよいことに留意すべきである。例えば、ハードコードなどの方式により、前記ユーザ端末と前記基地局に設定されてもよい。それに代わって、前記サブセットは、動作中で上位レイヤシグナリングなどの方式により、前記ユーザ端末と前記基地局との間で通信されても良い。これにより、ユーザ端末と基地局との間に理解上の曖昧さがない。
【００４４】
また、上述した無損失指示方式は単なる例示に過ぎないことに留意すべきである。当業者は、本開示の教示に基づいて、各ＬＢＴパラメータ間の他の関係を考慮して前記サブセットを設計することができる。
【００４５】
また、上述した各例は、個別に用いられてもよいし、適宜組み合わせて用いられてもよいことに留意すべきである。図３と図４は、上述した各例の組み合わせの使用状況を例示的に示している。
【００４６】
図３は、本開示の実施例によるＬＢＴパラメータのパラメータ値を指示する方法の第１の適用例の模式図を示す。図３では、上述のような第１の実施例と第２の実施例とを総合的に考慮した。図３から分かるように、第２のタイプのＬＢＴに対して前記ＬＢＴ優先度を考慮しないし、第４のタイプのＬＢＴに対してＰＵＳＣＨの開始位置が第０シンボルと第１シンボルであることのみを考慮するため、最大１６個の場合だけ指示すればよい（その中、インデックス１２−１５は予約）。したがって、必要なビットは４ビットである。ＬＢＴタイプ（１ビット）、ＬＢＴ優先度（２ビット）、およびＰＵＳＣＨ開始位置（２ビット）が単独に指示される場合に比べて、シグナリングオーバヘッドが１ビット低減された。
【００４７】
図４は、本開示の実施例によるＬＢＴパラメータのパラメータ値を指示する方法の第２の適用例の模式図を示す。図４では、上述のような第１の実施例、第２の実施例、および第３の実施例を総合的に考慮した。図４から分かるように、第２のタイプのＬＢＴに対して前記ＬＢＴ優先度を考慮しないし、第４のタイプのＬＢＴに対してＰＵＳＣＨ開始位置が第０シンボルと第１シンボルであることのみ考慮し、前記ＬＢＴタイプは第２のタイプのＬＢＴである場合について前記ＬＢＴの優先度と対応付けられたＣＷＳを考慮しないため、最大６４個の場合だけ指示すればよい（インデックス４０−６３は予約）。したがって、必要なビットは６ビットである。ＬＢＴタイプ（１ビット）、ＬＢＴ優先度（２ビット）、ＣＷＳ（４ビット）、およびＰＵＳＣＨ開始位置（２ビット）が単独に指示される場合に比べて、シグナリングオーバヘッドが３ビット低減された。
【００４８】
以上、第１の実施形態における無損失方式での処理について説明した。以下、第２の実施形態における損失方式での処理について説明する。第２の実施形態では、前記サブセットは、各ＬＢＴパラメータの可能パラメータ値間の組み合わせの使用確率に基づいて、形成される。具体的には、第２の実施形態は、マルチサブフレームスケジューリングの場合に適用可能であり、シングルサブフレームスケジューリングの場合にも適用可能である。
【００４９】
マルチサブフレームスケジューリングの場合、上述のようなＬＢＴタイプは、複数のサブフレームのうちの第１のサブフレームのＬＢＴタイプであってもよいし、上述のようなＬＢＴ優先度は、前記第１のサブフレームのＬＢＴ優先度であってもよいし、上述のようなＰＵＳＣＨ開始位置は、前記第１のサブフレームのＰＵＳＣＨ開始位置であってもよい。
【００５０】
なお、マルチサブフレームスケジューリングの場合、前記ＬＢＴパラメータは、マルチサブフレームスケジューリングギャップをさらに含む。前記マルチサブフレームスケジューリングギャップは、ギャップごとのＬＢＴタイプ、または複数のスケジューリングされるサブフレームのうち第１のサブフレーム以外の残りのサブフレームのＬＢＴタイプと呼ばれるＬＢＴタイプを含んでもよい。ギャップごとのＬＢＴタイプの可能パラメータ値は、上述のような第２のタイプのＬＢＴおよび第４のタイプのＬＢＴを含む。前記マルチサブフレームスケジューリングギャップは、前記残りのサブフレームのＰＵＳＣＨ開始位置をさらに含んでも良い。前記残りのサブフレームのＰＵＳＣＨ開始位置の可能パラメータ値は、第０シンボル、第１シンボル、第０シンボルから所定値を経過したタイミング、および第０シンボルから前記所定値とタイミングアドバンス値を経過したタイミングを含む。また、設計要求にしたがって、マルチサブフレームスケジューリングギャップは、ギャップがどれらのサブフレームの開始位置に位置するか、前記残りのサブフレームのＬＢＴ優先度、前記残りのサブフレームのＣＷＳなどに関する情報をさらに含んでもよいことを、当業者が理解することができる。
【００５１】
この第２の実施形態では、前記サブセットは、前記ＬＢＴタイプと、前記ＬＢＴ優先度と、前記ＰＵＳＣＨ開始位置との可能パラメータ値間の組み合わせの使用確率に基づいて、形成されることができる。
【００５２】
また、マルチサブフレームスケジューリングの場合、前記サブセットは、前記ＬＢＴタイプと、前記ＬＢＴ優先度と、前記ＰＵＳＣＨ開始位置と、ギャップごとのＬＢＴタイプとの可能パラメータ値間の組み合わせの使用確率に基づいて、形成されることができる。
【００５３】
より具体的には、第１の実施例では、一方、マルチサブフレームスケジューリングの場合、最大チャネル占有時間（Ｍａｘｉｍｕｍ  Ｃｈａｎｎｅｌ  Ｏｃｃｕｐａｎｃｙ  Ｔｉｍｅ、ＭＣＯＴ）内であってもＭＣＯＴ以外であっても、各サブフレーム間のギャップがすべてマルチユーザ多重を可能にさせるために使用されることを考慮した。他方、第４のタイプのＬＢＴで使用されるバックオフカウンタが、複数のスケジューリングされたユーザ端末間で非同期的であり、複数のユーザ端末間の干渉条件が異なるため、第４のタイプのＬＢＴを使用してマルチユーザ多重を行うことは効率的ではないことを考慮した。したがって、その第１の実施例では、第１の制限を行う。すなわちマルチサブフレームスケジューリングの場合について、ギャップが存在すると、ギャップごとは第２のタイプのＬＢＴを使用する。つまり、前記サブセットは、ギャップごとに第２のタイプのＬＢＴを使用することによって、形成される。
【００５４】
また、さらに、直前のサブフレームが上りリンクサブフレームであり、現在のサブフレームのＬＢＴタイプ（または直前のサブフレームと現在のサブフレームとの間のギャップのＬＢＴタイプ）が第２のタイプのＬＢＴである場合、該現在のサブフレームのＰＵＳＣＨ開始位置は、第０シンボルから所定値を経過したタイミングとなるはずであることを考慮した。したがって、該第１の制限は、第１のサブフレーム以外の残りのサブフレームに対して、ＰＵＳＣＨ開始位置が第０シンボルから所定値を経過したタイミングを使用することをも意味する。つまり、前記サブセットは、前記残りのサブフレームに対して第０シンボルから所定値を経過したタイミングを使用することによって、形成される。
【００５５】
図５は、本開示の実施例によるＬＢＴパラメータのパラメータ値を指示する方法の損失方式の第１の実施例を示す模式図である。図５では、合計４つのサブフレーム（すなわち、前記残りのサブフレームが第２、第３、第４のサブフレームである）を含むマルチサブフレームスケジューリングの場合が例として図示されている。この場合、ギャップごとに第２のタイプのＬＢＴまたは第４のタイプのＬＢＴが使用され得ると、合計４×４＝１６ビットが必要となる。これに対して、図５から分かるように、ギャップごとに第２のタイプのＬＢＴのみが使用されるため、最大１２８個の場合のみ指示すればよい（その中のインデックス９６−１２７が予約）。したがって、必要なビットは７ビットである。したがって、ＬＢＴパラメータを指示する柔軟性がわずかに低下するが、シグナリングオーバヘッドが顕著に低減された。
【００５６】
第２の実施例では、一方、ＭＣＯＴ内で、一般的に、より効率的にチャネルを取得するために、新たな上りリンク伝送ごとに（すなわち、マルチサブフレームスケジューリングの場合の第１のサブフレームに対して）第２のタイプのＬＢＴが使用される。したがって、ＭＣＯＴ内でマルチサブフレームスケジューリングの場合の第１のサブフレームには、第４のタイプのＬＢＴがあまり使用されず、第２のタイプのＬＢＴが使用されると考えられる。他方、ＭＣＯＴ外で、他のユーザ端末による新たな上りリンク伝送（すなわち、マルチサブフレームスケジューリングの場合の第１のサブフレームに対して）は、第４のタイプのＬＢＴを使用してマルチユーザ多重を実現する。この場合、前記ユーザ端末の前記残りのサブフレームの間で第２のタイプのＬＢＴが使用されても、前記ユーザ端末と他のユーザ端末との間の多重を実現することは困難であって、前記残りのサブフレームの第２のタイプのＬＢＴは基本的には必要ではない。したがって、該第２の実施例では、第２の制限を行い、すなわち、マルチサブフレームスケジューリングの場合、第１のサブフレームが第４タイプのＬＢＴを使用すると、残りのサブフレーム間にギャップがないとする。言い換えれば、前記ＬＢＴタイプが第４のタイプのＬＢＴである場合、前記サブセットは、前記複数のサブフレームのうち隣接するサブフレームの間でギャップを使用しないことによって、形成される。
【００５７】
図６は、本開示の実施例によるＬＢＴパラメータのパラメータ値を指示する方法の損失方式の第２の実施例を示す模式図である。図６では、同様に、合計４つのサブフレームを含むマルチサブフレームスケジューリングの場合が例として図示されている。図６では、第１のサブフレームに第４のタイプのＬＢＴが使用される場合、残りのサブフレーム間でギャップが使用されないため、最大６４個の場合のみ指示すればよい（その中のインデックス４０−６３が予約）。したがって、必要なビットは５ビットである。図５に比べて、２ビットがさらに減少されている。したがって、ＬＢＴパラメータを指示する柔軟性がわずかに低下するが、シグナリングオーバヘッドが顕著に低減された。
【００５８】
第３の実施例では、ＬＢＴ優先度３およびＬＢＴ優先度４に対応付けられるＣＷＳが両方とも｛１５、３１、６３、１２７、２５５、５１１、１０２３｝であることを考慮して、シグナリングオーバヘッドを低減するために、この実施例では、ＬＢＴ優先度３およびＬＢＴ優先度４のいずれか一方を除去するように、第４の制限が行われる。例えば、ＬＢＴ優先度３を除去する。つまり、前記サブセットは、前記ＬＢＴ優先度が３（およびそれに対応付けられるＣＷＳ）であることを含む組み合わせを前記セットから除外することによって、形成される。
【００５９】
図７は、本開示の実施例によるＬＢＴパラメータのパラメータ値を指示する方法の損失方式の第３の実施例を示す模式図である。図７では、ＬＢＴ優先度が３であることを含む組み合わせが除外されているため、最大３１個の場合のみ指示すればよい（インデックス２６−３１が予約）。したがって、必要なビットは５ビットであり、シグナリングオーバヘッドが顕著に低減された。
【００６０】
第４の実施例では、ＰＵＳＣＨ開始位置が第１シンボルである場合が主にＬＢＴタイプ４に適用されることを考量して、シグナリングオーバヘッドを低減するために、この実施例では、第４の制限を行う。すなわち、前記ＬＢＴタイプが第２のタイプのＬＢＴであり、前記ＰＵＳＣＨ開始位置が第１シンボルであることの組み合わせを除外する。つまり、前記サブセットは、前記ＬＢＴタイプが第２のタイプのＬＢＴであり、前記ＰＵＳＣＨ開始位置が第１シンボルであることを含む組み合わせを前記セットから除外することによって、形成される。
【００６１】
図８は、本開示の実施例によるＬＢＴパラメータのパラメータ値を指示する方法の損失方式の第４の実施例を示す模式図である。図８では、前記ＬＢＴタイプが第２のタイプのＬＢＴであり、前記ＰＵＳＣＨ開始位置が第１シンボルであることを含む組み合わせが除外されているため、最大３１個の場合のみ指示すればよい。したがって、必要なビットは５ビットであり、シグナリングオーバヘッドが顕著に低減された。
【００６２】
図８に示す実施例は、マルチサブフレームスケジューリングの場合に第４の制限を適用した場合であることに留意すべきである。しかしながら、当業者は、第４の制限がそれに限定されず、シングルサブフレームスケジューリングの場合に適用可能であることを理解できる。すなわち、図８の最右端の列を削除して改めてインデックス並び替えを行って新しいテーブルを形成してもよい。
【００６３】
また、図５−図８のテーブルにおいて、マルチサブフレームスケジューリングの場合について、合計４サブフレームを例として図示されていることに留意すべきである。しかし、本開示の実施例の方法はこれに限定されるものではなく、より多くの或いは少ないサブフレームがスケジューリングされる場合に適用してもよい。
【００６４】
また、図３−図８は、本開示の実施例によるＬＢＴパラメータのパラメータ値を指示する方法において使用されるいくつかの例示的なサブセットのみを示していることに留意すべきである。当業者は、これに基づいて他の様々なサブセットを設計することができる。
【００６５】
また、図３−図８は、上述した無損失方式の第１の例から第３の例のいずれか１つ、または損失方式の第１の例から第４の例のいずれか一つを単独に適用することではなく、その中の一つまたは複数の例の組み合わせを適用する可能性があることに留意すべきである。例えば、図８は、損失方式の第２の制限と第４の制限の両方を適用した。また、図３−図８に例示されている無損失または損失方式の様々なサブセットに対して適当に組み合わせ、サブ組み合わせ、修正および置換を行ってもよい。
【００６６】
以下、図９乃至図１７を参照して、損失方式と無損失方式とに基づいて形成されるサブセットの何らかの例について説明する。
【００６７】
図９は、無損失指示方式によって形成されるサブセットの第１の例を示している。具体的には、第２のタイプのＬＢＴについて前記ＬＢＴ優先度を考慮しないし、第４のタイプのＬＢＴについてＰＵＳＣＨ開始位置が第０シンボルおよび第１シンボルであることのみを考慮することによって形成されたサブセットは、図３に示すものと同じであるため、ここでは詳細に説明しない。
【００６８】
図１０は、無損失指示方式と損失指示方式とを結合して得られる損失指示方式の第２の例を示している。具体的には、第２のタイプのＬＢＴについて前記ＬＢＴ優先度を考慮しないし、第４のタイプのＬＢＴについてＰＵＳＣＨ開始位置が第０シンボルおよび第１シンボルであることのみを考慮することで、前記サブセットは、前記ＬＢＴ優先度が３であることを含む組み合わせを前記セットから除外し、前記ＬＢＴタイプが第２のタイプのＬＢＴであり、前記ＰＵＳＣＨ開始位置が第1シンボルであることを含む組み合わせを、前記セットから除外することによって、形成される。
【００６９】
図１１は、無損失指示方式としての第３の例を示している。具体的には、前記サブセットは、第２のタイプのＬＢＴについて前記ＬＢＴ優先度およびＣＷＳを考慮しないし、第４のタイプのＬＢＴについてＰＵＳＣＨ開始位置が第０シンボルおよび第１シンボルであることのみを考慮することによって、形成される。図４に示すものと同じであるため、ここでは詳細に説明しない。
【００７０】
図１２は、無損失指示方式と損失指示方式とを結合して得られる損失指示方式の第４の例を示している。具体的には、前記サブセットは、第２のタイプのＬＢＴについて前記ＬＢＴ優先度を考慮しないし、第４のタイプのＬＢＴについてＰＵＳＣＨ開始位置が第０シンボルおよび第１シンボルであることのみを考慮するとともに、３である前記ＬＢＴ優先度およびＣＷＳを含む組み合わせを前記セットから除外し、前記ＬＢＴタイプが第２のタイプのＬＢＴであり、前記ＰＵＳＣＨ開始位置が第１シンボルであることを含む組み合わせを除外することによって、形成される。図１２では、優先度が３である組み合わせの全部ではなく、一部のみが除外されていることに留意すべきである。これにより、各ＬＢＴパラメータがぴったり５ビットで指示可能にさせることとなる。
【００７１】
図１３は、無損失指示方式と損失指示方式とを結合して得られる損失指示方式の第５の例を示している。具体的には、前記サブセットは、第２のタイプのＬＢＴについて前記ＬＢＴ優先度を考慮しないし、第４のタイプのＬＢＴについてＰＵＳＣＨ開始位置が第０シンボルおよび第１シンボルであることのみを考慮するとともに、３である前記ＬＢＴ優先度およびＣＷＳを含む組み合わせを前記セットから除外し、前記ＬＢＴタイプが第２のタイプのＬＢＴであり、前記ＰＵＳＣＨ開始位置が第１シンボルであることを含む組み合わせを除外することによって、形成される。図１３では、優先度が３である組み合わせの全部ではなく、一部のみが除外されていることに留意すべきである。これにより、各ＬＢＴパラメータがぴったり５ビットで指示可能にさせることとなる。
【００７２】
図１４は、無損失指示方式と損失指示方式とを結合して得られる損失指示方式の第６の例を示している。具体的には、前記サブセットは、第２のタイプのＬＢＴについて前記ＬＢＴ優先度を考慮しないし、第４のタイプのＬＢＴについてＰＵＳＣＨ開始位置が第０シンボルおよび第１シンボルであることのみを考慮するとともに、前記ＬＢＴタイプが第２のタイプのＬＢＴであり、前記ＰＵＳＣＨ開始位置が第１シンボルであることを含む組み合わせを除外し、第１のサブフレームに第２のタイプのＬＢＴが使用される場合に対してギャップごとに第２のタイプのＬＢＴが使用され、第１のサブフレームに第４のタイプのＬＢＴが使用される場合に対して残りのサブフレームの間にギャップがないことによって、形成される。図８に示すものと同じであるため、ここでは詳細に説明しない。
【００７３】
図１５は、無損失指示方式と損失指示方式とを結合して得られる損失指示方式の第７の例を示している。具体的には、前記サブセットは、第２のタイプのＬＢＴについて前記ＬＢＴ優先度を考慮しないし、第４のタイプのＬＢＴについてＰＵＳＣＨ開始位置が第０シンボルおよび第１シンボルであることのみを考慮するとともに、前記ＬＢＴタイプが第２のタイプのＬＢＴであり、前記ＰＵＳＣＨ開始位置が第１シンボルであることを含む組み合わせを除外し、第１のサブフレームに第２のタイプのＬＢＴが使用される場合に対してギャップごとに第２のタイプのＬＢＴが使用され、第１のサブフレームに第４のタイプのＬＢＴが使用される場合に対して残りのサブフレームの間にはギャップがないことによって、マルチサブフレームスケジューリング場合のギャップ設定｛全部有、全部無、第１のサブフレーム中のみ、第１のサブフレームと第３のサブフレーム中｝に従って、形成される。
【００７４】
図１６は、無損失指示方式と損失指示方式とを結合して得られる非無損失指示方式の第８の例を示している。具体的には、前記サブセットは、第２のタイプのＬＢＴについて前記ＬＢＴ優先度およびＣＷＳを考慮しないし、第４のタイプのＬＢＴについてＰＵＳＣＨ開始位置が第０シンボルおよび第１シンボルであることのみを考慮するとともに、前記ＬＢＴタイプが第２のタイプのＬＢＴであり、前記ＰＵＳＣＨ開始位置が第１シンボルであることを含む組み合わせを除外し、第１のサブフレームに第２のタイプのＬＢＴが使用される場合に対してギャップごとに第２のタイプのＬＢＴが使用され第１のサブフレームに第４のタイプのＬＢＴが使用される場合に対して残りのサブフレームの間にギャップがないことによって、形成される。
【００７５】
図１７は、無損失指示方式と損失指示方式とを結合して得られる損失指示方式の第９の例を示している。具体的には、前記サブセットは、第２のタイプのＬＢＴについて前記ＬＢＴ優先度およびＣＷＳを考慮しないし、第４のタイプのＬＢＴについてＰＵＳＣＨ開始位置が第０シンボルおよび第１シンボルであることのみを考慮するとともに、前記ＬＢＴタイプが第２のタイプのＬＢＴであり、前記ＰＵＳＣＨ開始位置が第１シンボルであることを含む組み合わせを除外し、第１のサブフレームに第２のタイプのＬＢＴが使用される場合に対してギャップごとに第２のタイプのＬＢＴが使用され第１のサブフレームに第４のタイプのＬＢＴが使用される場合に対して残りのサブフレームの間にはギャップがないことによって、マルチサブフレームスケジューリング場合のギャップ設定｛全部無、全部有、第１のサブフレーム中のみ、第１のサブフレームと第３のサブフレーム中｝に従って、形成される。
【００７６】
図１８は、本開示の実施例によるＬＢＴパラメータを指示する方法によって形成されたサブセットの第１の例乃至第９の例のまとめおよび比較を示す模式図である。
【００７７】
以上、図９−図１８を参照して説明したのは、本開示の実施例によるＬＢＴパラメータを指示する方法の何らかの例に過ぎないことに留意すべきである。本開示の実施例のＬＢＴパラメータを指示するための方法はこれに限定されるものではない。本開示の実施例による方法の教示をもとに、当業者は、ＬＢＴパラメータの可能パラメータ値の全ての組み合わせからなるセットから、一部を適当に選択して他のサブセットを形成してもよい。
【００７８】
以下、図２を参照して説明した上記のＬＢＴパラメータのパラメータ値を指示する方法を実行可能な、本開示の実施例による基地局について、図１９を参照して説明する。
【００７９】
図１９に示すように、基地局１９００は、パラメータ値特定部１９１０と、インデックス特定部１９２０と、生成部１９３０と、送信部１９４０とを備える。図１９は、本開示の実施例に密接に関連する基地局１９００の部のみを示しており、これは単なる例示的ものであり、必要に応じて、基地局１９００は他の部を含んでもよいことに留意すべきである。
【００８０】
前記パラメータ値特定部１９１０は、ＬＢＴタイプ、ＬＢＴ優先度、および物理上りリンク共有チャネルＰＵＳＣＨ開始位置を含むＬＢＴパラメータのパラメータ値を特定するように配置される。
【００８１】
前記インデックス特定部１９２０は、各ＬＢＴパラメータの可能パラメータ値の組み合わせからなるセット中のサブセットに基づいて、前記ＬＢＴパラメータをジョイント指示するためのインデックスを特定するように配置される。
【００８２】
前記生成部１９３０は、前記インデックスを含む下りリンク制御情報を生成するように配置されている。
【００８３】
送信部１９４０は、前記下りリンク制御情報をユーザ端末に送信するように配置されている。
【００８４】
一実施例では、前記サブセットは、前記ＬＢＴタイプと、前記ＬＢＴ優先度と、前記ＰＵＳＣＨ開始位置との可能パラメータ値間の衝突する組み合わせを前記セットから除外することによって、形成されてもよい。
【００８５】
別の一実施例では、前記サブセットは、前記ＬＢＴのタイプと、前記ＬＢＴの優先度と、前記ＰＵＳＣＨ開始位置との可能パラメータ間の組み合わせの使用確率に基づいて、形成されてもよい。
【００８６】
別の一実施例では、前記ＬＢＴパラメータは、マルチサブフレームスケジューリングギャップをさらに含んでもよく、前記マルチサブフレームスケジューリングギャップは、ギャップごとのＬＢＴタイプを含む。前記サブセットは、前記ＬＢＴタイプと、前記ＬＢＴ優先度と、前記ＰＵＳＣＨ開始位置と、ギャップごとのＬＢＴタイプとの可能パラメータ値間の組み合わせの使用確率に基づいて、形成されてもよい。
【００８７】
前記基地局１９００の各部の配置および動作は、図２−図１８を参照して説明した方法で詳細に説明したので、ここでは繰り返さない。
【００８８】
以下、ユーザ端末でＬＢＴパラメータのパラメータ値を特定する方法について、図２０を参照して説明する。
【００８９】
図２０は、本開示の実施例による、ユーザ端末でＬＢＴパラメータのパラメータ値を特定する方法の主なステップのフローチャートである。
【００９０】
図２０に示すように、まず、ステップＳ２０１０において、下りリンク制御情報を受信する。具体的には、前記下りリンク制御情報は、ＬＢＴパラメータをジョイント指示するためのインデックスを含む。前記ＬＢＴパラメータは、ＬＢＴタイプ、ＬＢＴ優先度、および物理上りリンク共有チャネルＰＵＳＣＨ開始位置を含む。
【００９１】
次に、ステップＳ２０２０において、各ＬＢＴパラメータの可能パラメータ値の組み合わせによって形成されたセット中のサブセットに基づいて、前記インデックスに応じて前記ＬＢＴパラメータのパラメータ値を特定する。
【００９２】
具体的には、図２−図１９を参照して上述したように、前記インデックスはサブセット用のインデックスであり、ＬＢＴパラメータに対する無損失指示であってもよく、またはＬＢＴパラメータに対する損失指示であってもよい。上述したサブセットは、例えば、テーブルなどの様々な形態で前記ユーザ端末および前記基地局に予め記憶されておいてもよい。例えば、ハードコードのような方式によって、前記ユーザ端末および前記基地局に設定してもよい。これに代わって、前記サブセットは、動作中で上位レイヤシグナリングのような方式によって、前記ユーザ端末と前記基地局との間で通信されてもよい。これにより、ユーザ端末と基地局との間に理解上の曖昧さはない。
【００９３】
これにより、ステップＳ２０２０において、前記ユーザ端末は、インデックスに基づいて、テーブル形式のようなサブセットからテーブル検索などの方式によって相応したＬＢＴパラメータのパラメータ値を特定してもよい。前記サブセットの形成について、すでに図２−図１９を参照して上で詳細に説明されているため、ここでは繰り返さない。
【００９４】
以下、図２０を参照して説明したＬＢＴパラメータのパラメータ値を特定する方法を実行可能な、本開示の実施例によるユーザ端末について、図２１を参照して説明する。
【００９５】
図２１に示すように、ユーザ端末２１００は、受信部２１１０、および特定部２１２０を含む。図２１は、ユーザ端末２１００における本開示の実施例に密接に関連する部のみを示しており、これは単なる例示的ものであり、必要に応じて、ユーザ端末２１００は他の部を含んでもよいことに留意すべきである。
【００９６】
前記受信部２１１０は、下りリンク制御情報を受信するように配置される。前記下りリンク制御情報は、ＬＢＴパラメータをジョイント指示するためのインデックスを含む。前記ＬＢＴパラメータは、ＬＢＴタイプ、ＬＢＴ優先度、および物理上りリンク共有チャネルＰＵＳＣＨ開始位置を含む。
【００９７】
前記特定部２１２０は、各ＬＢＴパラメータの可能パラメータ値の組み合わせからなるセット中のサブセットに基づいて、前記インデックスに応じて、前記ＬＢＴパラメータのパラメータ値を特定するように配置される。
【００９８】
前記ユーザ端末２１００の各部の配置および動作は、すでに図２０を参照して説明した方法で詳細に説明したので、ここでは繰り返さない。
【００９９】
本開示の実施例によるＬＢＴパラメータのパラメータ値を指示する方法、ＬＢＴパラメータのパラメータ値を特定する方法、基地局およびユーザ端末においては、ＬＢＴパラメータの可能パラメータ値の組み合わせのセットから一部を選択してサブセットを予め形成しておき、前記サブセットに基づいてパラメータ値を指示するため、ＬＢＴパラメータの指示用のシグナリングオーバヘッドを有効的に低減することができる。
【０１００】
本明細書において、用語「含む」、「含んでいる」、またはその何らの他の変形は、非排他的な「含んでいる」を意図しており、一連の要素を含むプロセス、方法、物品、または装置は、その要素だけでなく、具体的に列挙されていない他の要素をさらに含み、またはこのプロセス、方法、物品または装置の固有の要素を含むようにさせることに留意すべきである。より多くの制限がない場合、「…を含む」という文言によって限定される要素は、前記要素を含むプロセス、方法、物品、または装置において、さらに他の同じ要素が存在することを排除するものではない。
【０１０１】
また、本明細書では、「第１」、「第２」のような表現は、説明の便宜のためのみ使用され、限定された部が分離した複数の部として実装されなければならないことを意味しなく、限定されたステップに時間上の前後順序が存在することなども意味しないことに留意すべきである。
【０１０２】
最後、上述した一連の処理は、ここで記載された順序で時系列に実行される処理だけでなく、時間順序で実行される処理ではなく、並列的または個別に実行される処理も含むことに留意すべきである。
【０１０３】
上記の実施形態の説明を通じて、当業者は、本開示がソフトウェアと必要なハードウェアプラットフォームとの組み合わせによって実施され得ること、もちろん全てがハードウェアによって実施され得ることを明確に理解することができる。このような理解に基づいて、背景技術に寄与する本開示の技術案の全部または一部は、ＲＯＭ／ＲＡＭ、磁気ディスク、光ディスクなどの記憶媒体に記憶され得るソフトウェア製品の形で体現され得、コンピュータ装置（パーソナルコンピュータ、サーバ、またはネットワーク装置などであってもよい）に本開示の各実施例または実施例の一部で説明された方法を実行させるようにいくつかの命令が含まれる。
【０１０４】
以上、本開示について詳細に説明し、本明細書で具体的な例を適用することで本開示の原理および実施形態を説明した。以上の実施例の説明は、本開示の方法およびその趣旨の理解のためにのみ使用されており、本開示の趣旨に応じて、具体的実施形態および適用範囲において変更形態として実施することができる。従って、本明細書の記載は、本発明に対して何ら制限的な意味を有するものではない。
【図１】
2019525636.tif 000003
【図２】
2019525636.tif 000004
【図３】
2019525636.tif 000005
【図４】
2019525636.tif 000006
【図５】
2019525636.tif 000007
【図６】
2019525636.tif 000008
【図７】
2019525636.tif 000009
【図８】
2019525636.tif 000010
【図９】
2019525636.tif 000011
【図１０】
2019525636.tif 000012
【図１１】
2019525636.tif 000013
【図１２】
2019525636.tif 000014
【図１３】
2019525636.tif 000015
【図１４】
2019525636.tif 000016
【図１５】
2019525636.tif 000017
【図１６】
2019525636.tif 000018
【図１７】
2019525636.tif 000019
【図１８】
2019525636.tif 000020
【図１９】
2019525636.tif 000021
【図２０】
2019525636.tif 000022
【図２１】
2019525636.tif 000023
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
リッスンビフォアトーク（ＬＢＴ）パラメータのパラメータ値を特定するユーザ端末であって、
ＬＢＴタイプと、ＬＢＴ優先度と、物理上りリンク共有チャネル（ＰＵＳＣＨ）開始位置とを含むＬＢＴパラメータをジョイント指示するためのインデックスを含む下りリンク制御情報を受信するように構成される受信部と、
各ＬＢＴパラメータの可能パラメータ値の組み合わせによって形成されるセットのサブセットに基づいて、前記インデックスに応じて前記ＬＢＴパラメータのパラメータ値を特定するように構成される特定部と、を含むユーザ端末。
【請求項２】
前記サブセットは、前記ＬＢＴタイプと、前記ＬＢＴ優先度と、前記ＰＵＳＣＨ開始位置との可能パラメータ値間で衝突する組み合わせを、前記セットから除外することによって形成される、請求項１に記載のユーザ端末。
【請求項３】
前記ＬＢＴタイプの可能パラメータ値は、第２のタイプのＬＢＴと第４のタイプのＬＢＴを含み、
前記サブセットは、前記ＬＢＴタイプが第２のタイプのＬＢＴである場合について前記ＬＢＴ優先度を考慮しないことによって、形成される、請求項２に記載のユーザ端末。
【請求項４】
前記ＬＢＴタイプの可能パラメータ値は、第２のタイプのＬＢＴと第４のタイプのＬＢＴを含み、
前記ＰＵＳＣＨ開始位置の可能パラメータ値は、第０シンボルと、第１シンボルと、第０シンボルから所定値を経過したタイミングと、第０シンボルから前記所定値とタイミングアドバンス値を経過したタイミングと、を含み、
前記サブセットは、前記ＬＢＴタイプが第４のタイプのＬＢＴであり、前記ＰＵＳＣＨ開始位置が第０シンボルから前記所定値を経過したタイミングであることを含む組み合わせと、前記ＬＢＴタイプが第４のタイプのＬＢＴであり、前記ＰＵＳＣＨ開始位置が第０シンボルから前記所定値とタイミングアドバンス値を経過したタイミングであることを含む組み合わせと、を前記セットから除外することによって、形成される、請求項２に記載のユーザ端末。
【請求項５】
前記ＬＢＴパラメータはコンテンションウィンドウサイズＣＷＳをさらに含み、
前記ＬＢＴタイプの可能パラメータ値は第２のタイプのＬＢＴおよび第４のタイプのＬＢＴを含み、
前記サブセットは、前記ＬＢＴタイプが第２のタイプのＬＢＴである場合についてＬＢＴの優先度と前記ＣＷＳを考慮しないことによって、形成される、請求項２に記載のユーザ端末。
【請求項６】
前記サブセットは、前記ＬＢＴタイプと、前記ＬＢＴ優先度と、前記ＰＵＳＣＨ開始位置との可能パラメータ値の間の組み合わせの使用確率に基づいて、形成される、請求項１に記載のユーザ端末。
【請求項７】
前記ＬＢＴパラメータは、マルチサブフレームスケジューリングギャップをさらに含み、
前記マルチサブフレームスケジューリングギャップは、ギャップごとのＬＢＴタイプを含み、
前記サブセットは、前記ＬＢＴタイプと、前記ＬＢＴ優先度と、前記ＰＵＳＣＨ開始位置と、ギャップごとのＬＢＴタイプとの可能パラメータ値の間の組み合わせの使用確率に基づいて、形成される、請求項６に記載のユーザ端末。
【請求項８】
ギャップごとのＬＢＴタイプの可能パラメータ値は、第２のタイプのＬＢＴと第４のタイプのＬＢＴを含み、
前記サブセットは、ギャップごとに第２のタイプのＬＢＴを使用することによって形成される、請求項７に記載のユーザ端末。
【請求項９】
前記マルチサブフレームスケジューリングギャップは、複数のサブフレームのうち第１のサブフレーム以外の残りのサブフレームのＰＵＳＣＨ開始位置をさらに含み、
前記残りのサブフレームのＰＵＳＣＨ開始位置の可能パラメータ値は、第０シンボルと、第１シンボルと、第０シンボルから前記所定値を経過したタイミングと、第０シンボルから所定値とタイミングアドバンス値を経過したタイミングとを含み、
前記サブセットは、前記残りのサブフレームに対して第０シンボルから所定値を経過したタイミングを使用することによって、形成される、請求項８に記載のユーザ端末。
【請求項１０】
前記ＬＢＴタイプの可能パラメータ値は、第２のタイプのＬＢＴと第４のタイプのＬＢＴとを含み、
前記サブセットは、前記ＬＢＴタイプが第４のタイプのＬＢＴの場合について複数のサブフレームの隣接サブフレームの間に対してギャップを使用しないことによって、形成される、請求項９に記載のユーザ端末。
【請求項１１】
前記ＬＢＴ優先度の可能パラメータ値は、１、２、３、４を含み、
前記サブセットは、ＬＢＴ優先度が３であることを含む組み合わせを前記セットから除外することによって、形成される、請求項６に記載のユーザ端末。
【請求項１２】
前記ＬＢＴタイプの可能パラメータ値は、第２のタイプのＬＢＴと第４のタイプのＬＢＴを含み、
前記ＰＵＳＣＨ開始位置の可能パラメータ値は、第０シンボルと、第１シンボルと、第０シンボルから所定値を経過したタイミングと、第０シンボルから前記所定値とタイミングアドバンス値を経過したタイミングと、を含み、
前記サブセットは、前記ＬＢＴタイプが第２のタイプのＬＢＴであり、前記ＰＵＳＣＨ開始位置が第１シンボルであることを含む組み合わせを前記セットから除外することによって、形成される、請求項６に記載のユーザ端末。
【請求項１３】
リッスンビフォアトーク（ＬＢＴ）パラメータのパラメータ値を指示する基地局であって、
ＬＢＴタイプと、ＬＢＴ優先度と、物理上りリンク共有チャネル（ＰＵＳＣＨ）開始位置とを含むＬＢＴパラメータのパラメータ値を特定するように構成されるパラメータ値特定部と、
各ＬＢＴパラメータの可能パラメータ値の組み合わせによって形成されるセットのサブセットに基づいて、前記ＬＢＴパラメータをジョイント指示するためのインデックスを特定するように構成されるインデックス特定部と、
前記インデックスを含む下りリンク制御情報を生成するように構成される生成部と、
前記下りリンク制御情報をユーザ端末に送信するように配置される送信部と、を有する基地局。
【請求項１４】
前記サブセットは、前記ＬＢＴタイプと、前記ＬＢＴ優先度と、前記ＰＵＳＣＨ開始位置との可能パラメータ値間で衝突する組み合わせを前記セットから除外することによって、形成される、請求項１３に記載の基地局。
【請求項１５】
前記サブセットは、前記ＬＢＴタイプと、前記ＬＢＴ優先度と、前記ＰＵＳＣＨ開始位置との可能パラメータ値の間の組み合わせの使用確率に基づいて、形成される、請求項１３に記載の基地局。
【請求項１６】
前記ＬＢＴパラメータは、マルチサブフレームスケジューリングギャップをさらに含み、
前記マルチサブフレームスケジューリングギャップは、ギャップごとのＬＢＴタイプを含み、
前記サブセットは、前記ＬＢＴタイプと、前記ＬＢＴ優先度と、前記ＰＵＳＣＨ開始位置と、ギャップごとのＬＢＴタイプとの可能パラメータ値の間の組み合わせの使用確率に基づいて、形成される、請求項１５に記載の基地局。
【請求項１７】
ユーザ端末においてリッスンビフォアトーク（ＬＢＴ）パラメータのパラメータ値を特定する方法であって、
ＬＢＴタイプと、ＬＢＴ優先度と、物理上りリンク共有チャネル（ＰＵＳＣＨ）開始位置とを含むＬＢＴパラメータをジョイント指示するためのインデックスを含む下りリンク制御情報を受信することと、
各ＬＢＴパラメータの可能パラメータ値の組み合わせによって形成されるセットのサブセットに基づいて、前記インデックスに応じて前記ＬＢＴパラメータを特定することと、を有する方法。
【請求項１８】
基地局において、リッスンビフォアトーク（ＬＢＴ）パラメータのパラメータ値を指示する方法であって、
ＬＢＴタイプと、ＬＢＴ優先度と、物理上りリンク共有チャネル（ＰＵＳＣＨ）開始位置とを含むＬＢＴパラメータのパラメータ値を特定することと、
各ＬＢＴパラメータの可能パラメータ値の組み合わせによって形成されるセットのサブセットに基づいて、
前記ＬＢＴパラメータをジョイント指示するためのインデックスを特定することと、
前記インデックスを含む下りリンク制御情報を生成することと、
前記下りリンク制御情報をユーザ端末に送信することと、を含む方法。
【国際調査報告】
2019525636.tif 000024
2019525636.tif 000025
2019525636.tif 000026
2019525636.tif 000027